(57)【要約】【課題】光源の自然なフェード・インを実現することが可能な照明用電源回路およびそれを備えた照明装置を提供する。【解決手段】電源回路１００は、発光部２に電力を供給するための照明用電源回路であって、直流電源部２３と、調光制御信号供給部２１と、制御回路２４とを備えている。直流電源部２３は、ＬＥＤ２ｄに供給される電力を出力する。調光制御信号供給部２１は、ＬＥＤ２ｄの点灯の開始を指示するための指示を受け付け、且つ、受け付けた指示に応じて、ＬＥＤ２ｄに負荷される電流を変化させるためのパルス信号ＳＶ１および直流信号ＳＩ１を供給する。制御回路２４は、調光制御信号供給部２１からパルス信号ＳＶ１が供給される場合に、直流電源部２３から出力される電圧を調整する。制御回路２４は、調整された直流電源部２３の出力電圧に応じて、ＬＥＤ２ｄに負荷される電流を調整する。【選択図】図１
2013149570.tif 000002
【特許請求の範囲】
【請求項１】
光源に電力を供給するための照明用電源回路であって、
前記光源に供給される電力を出力するための直流電源部と、
前記光源の点灯の開始を指示するための指示を受け付け、且つ、受け付けた指示に応じて、前記光源に負荷される電流を変化させるための制御信号を供給する調光制御信号供給部と、
前記調光制御信号供給部から前記制御信号が供給される場合に、前記直流電源部から出力される電圧を調整する電圧制御部と、
前記電圧制御部によって調整され且つ前記直流電源部から出力される電圧に応じて、前記光源に負荷される電流を調整する電流制御部とを備えた、照明用電源回路。
【請求項２】
前記調光信号供給部に接続され、前記調光信号供給部から供給される制御信号に基づいてオンとオフとが切り替えられる第１のスイッチ素子と、
前記第１のスイッチ素子に接続された抵抗を含み、前記第１のスイッチ素子と前記電圧制御部との間に形成された増幅回路と、
前記電圧制御部と前記直流電源部とに接続された第２のスイッチ素子とをさらに備え、
前記調光制御信号供給部は、前記第１のスイッチ素子のオンとオフとを切り替える制御信号を出力し、
前記電圧制御部は、前記第１のスイッチング素子のオンとオフとに基づいて変化する前記増幅回路の電圧に応じて、前記第２のスイッチ素子のオンとオフとを切り替えることによって、前記直流電源部から出力される電圧を調整する、
請求項１に記載の照明用電源回路。
【請求項３】
請求項１または請求項２に記載の照明用電源回路と、光源を有する発光部とを備えた、照明装置。
【発明の詳細な説明】
【技術分野】
【０００１】
本発明は、一般的には照明用電源回路に関し、特定的には発光ダイオードを発光させる照明用電源回路およびそれを備えた照明装置に関する。
【背景技術】
【０００２】
光源として発光ダイオードを用いた照明装置には、発光ダイオードに負荷される電流を徐々に増大させることによって、発光ダイオードの明るさを滑らかに変化させることが可能な照明用電源回路が用いられることが好ましい。発光ダイオードを発光させる照明用電源回路として、例えば、特開２００７−２３４４１５号公報（以下、特許文献１という）に記載された照明用電源回路が従来から知られている。
【０００３】
特許文献１に係る照明用電源回路の一例は、商用交流電源電圧を充電する一方および他方の電源接続端子と、調光指示受付部と、一方および他方の外部接続端子と、直流電源部と、定電流回路と、調光制御部とを備えている。当該照明用電源回路と、発光ダイオードを有する発光部とによって、照明装置が構成されている。
【０００４】
直流電源部は、受電された商用交流電源電圧を全波整流し、平滑用の第１のキャパシタの両端に電圧を印加するダイオードブリッジを備えている。直流電源部において、第１のキャパシタの一端は、トランスの一次巻線を介して第１のトランジスタのコレクタに接続され、第１のトランジスタのエミッタは、第１のキャパシタの他端に接続されている。
【０００５】
トランスの二次巻線の一端は、ダイオードと平滑用の第２のキャパシタとを介して二次巻線の他端に接続されている。第２のキャパシタの一端は、一方の外部接続端子に接続され、第２のキャパシタの他端は、第１の抵抗を介して他方の外部接続端子に接続されている。
【０００６】
例えば屋内の壁面に取り付けられた調光器から出力された調光信号は、調光指示受付部によって受け付けられ、調光制御部へ供給される。調光信号は、発光部に流すべき負荷電流の電流値、すなわち、発光部の明るさを示す信号である。調光信号は、発光部の明るさを指示するための指示を示すとともに、発光部の負荷電流を示した信号として用いられている。
【０００７】
直流電源部は、ダイオードブリッジ、第１のキャパシタ、第２のキャパシタ、トランス、第１のトランジスタ、ダイオード、および、ＰＷＭ回路によって構成されている。ＰＷＭ回路は、調光制御部からの制御信号に応じて第１のトランジスタのオンオフデューティ比を設定し、第２のキャパシタの両端に生じる電圧を設定する制御回路である。第２のキャパシタの両端に生じる電圧は、直流電源部の出力電圧である。
【０００８】
一方および他方の外部接続端子は、第２のトランジスタのコレクタに接続され、第２のトランジスタのエミッタが第２の抵抗を介して第２のキャパシタの他端に接続されている。第２のキャパシタの他端には、出力電圧が可変にされた直流電圧源Ｅの負極が接続されている。直流電圧源Ｅの正極は、オペアンプの非反転増幅端子に接続されている。オペアンプの出力端子は、第２のトランジスタのベースに接続されている。第２のトランジスタのエミッタは、オペアンプの反転増幅端子に接続されている。
【０００９】
出力電流が可変にされた定電流回路は、直流電圧源Ｅ１、オペアンプ、第２のトランジスタ、第１の抵抗、および、第２の抵抗によって構成されている。直流電圧源Ｅは、調光制御部からの制御信号に応じて出力電圧を変化させ、定電流回路の出力電流を変化させる。
【００１０】
調光制御部は、例えばコンパレータまたは論理回路等が用いられた制御回路である。調光制御部は、調光器から出力された調光信号の示す負荷電流の電流値が、直流電源部の性能上出力可能な最小の出力電流値（制御可能な最小の限界電流値）として予め設定された最小出力電流Ｉｍｉｎ（設定電流値）を超える電流値を示す場合に、ＰＷＭ回路へ制御信号を出力する。これにより、直流電源部によって、調光信号に応じた直流電流が、外部接続端子および定電流回路を介して負荷電流として発光部に出力される。
【００１１】
一方、調光信号が最小出力電流Ｉｍｉｎに満たない電流値を示す場合には、調光制御部は、ＰＷＭ回路へ制御信号を出力し、直流電源部の出力電圧を例えば発光部に最小出力電流Ｉｍｉｎを流すための電圧として予め設定された設定電圧にさせるように、第１のトランジスタのオンオフデューティ比を設定する。これにより、調光信号によって指示される負荷電流が最小出力電流Ｉｍｉｎ以下である場合に、直流電源部の出力電圧が設定電圧にされる。
【００１２】
また、調光制御部は、調光信号によって指示される負荷電流が最小出力電流Ｉｍｉｎ以下である場合に、直流電圧源Ｅへ制御信号を出力する。これにより、定電流回路によって、調光信号に応じた直流電流が、外部接続端子および定電流回路を介して負荷電流として発光部に出力される。
【００１３】
特許文献１に係る照明用電源回路の一例と発光部とを備えた照明装置において、発光部を徐々に明るくするように点灯させる場合の当該照明用電源回路の作動については、第１の時期において、調光器から出力される調光信号が、消灯状態からわずかに点灯する状態に移行する。第１の時期においては、調光制御部からの制御信号に応じて、直流電源部の出力電圧が設定電圧にされる。次いで、調光信号が徐々に上昇する場合に、調光制御部によって、調光信号に応じて負荷電流を増大させるように、制御信号が直流電圧源Ｅへ出力される。その結果、定電流回路の出力電流が増大され、調光信号に応じて負荷電流が増大される。これにより、発光部の輝度が徐々に増大する。
【００１４】
次に、第２の時期において、調光信号が最小出力電流Ｉｍｉｎを示す信号レベルＬｍｉｎに達する場合に、調光制御部からの制御信号に応じて直流電源部の出力電圧が増大されることにより、負荷電流が出力電圧に応じて増大する。これにより、発光部の輝度が徐々に増大する。続いて、第３の時期において、直流電源部の出力電圧が発光部の特性電圧に達し、且つ、発光部を流れる負荷電流が特性電流に達することにより、発光部が全点灯する。
【００１５】
このように、特許文献１に係る照明用電源回路の一例においては、負荷電流が直流電源部の最小出力電流Ｉｍｉｎに満たない電流範囲である場合に、直流電源部の出力電圧が設定電圧に保持されながら、発光部への負荷電流が徐々に増大される。このようにして、負荷電流が直流電源部最小出力電流Ｉｍｉｎに満たない電流範囲において、発光部の明るさが調光されている。
【００１６】
また、特許文献１に係る照明用電源回路の別の一例は、上記の照明用電源回路の一例と異なり、調光信号供給部をさらに備え、調光器の代わりにスイッチを備え、定電流回路の代わりにもう一つのＰＷＭ回路（以下、第２のＰＷＭ回路という）とスイッチング素子とを備えている。
【００１７】
特許文献１に係る照明用電源回路の別の一例において、スイッチがオンされることによって発光部を点灯させる場合には、最小出力電流Ｉｍｉｎに満たない電流範囲において、調光制御部からの制御信号に応じて、第２のＰＷＭ回路によって、スイッチング素子のオンデューティ比が徐々に増大される。これにより、発光部への負荷電流のオンデューティ比が徐々に増大され、発光部の輝度が徐々に増大される。
【先行技術文献】
【特許文献】
【００１８】
【特許文献１】特開２００７−２３４４１５号公報
【発明の概要】
【発明が解決しようとする課題】
【００１９】
しかしながら、特許文献１に係る照明用電源回路の一例においては、発光部の明るさを徐々に変化させる（言い換えると、フェード・インさせる）ために、直流電源部の出力電圧が一定に（つまり、最小出力電流Ｉｍｉｎを流すための電圧として予め設定された設定電圧に）保たれながら、発光部に流れる電流が徐々に増大されている。このような場合には、発光部に電流が急激に流れることによって、発光部が急に点灯するような事態（フラッシング）が発生する可能性がある。
【００２０】
また、特許文献１に係る照明用電源回路の別の一例においては、発光部をフェード・インさせるために、第２のＰＷＭ回路によって、発光部に負荷される電流のオンデューティ比が徐々に増大されている。このように、発光ダイオードを点灯させる場合に電流のオンデューティ比が制御されるときには、電流のパルスのオンとオフとに応じて、発光ダイオードが点滅するような事態が発生する可能性がある。
【００２１】
したがって、光源として発光ダイオードを用いた照明装置において、発光ダイオードのフラッシングまたは点滅を防止することにより、自然なフェード・インを実現することが可能な照明用電源回路が望まれている。
【００２２】
そこで、本発明の目的は、光源の自然なフェード・インを実現することが可能な照明用電源回路およびそれを備えた照明装置を提供することである。
【課題を解決するための手段】
【００２３】
本発明に従った照明用電源回路は、発光ダイオードを含む光源に電力を供給するための照明用電源回路である。本発明に従った照明用電源回路は、直流電源部と、調光制御信号供給部と、電圧制御部と、電流制御部とを備えている。直流電源部は、光源に供給される電力を出力する。調光制御信号供給部は、光源の点灯の開始を指示するための指示を受け付け、且つ、受け付けた指示に応じて、光源に負荷される電流を変化させるための制御信号を供給する。電圧制御部は、調光制御信号供給部から制御信号が供給される場合に、直流電源部から出力される電圧を調整する。電流制御部は、電圧制御部によって調整され且つ直流電源部から出力される電圧に応じて、光源に負荷される電流を調整する。
【００２４】
本発明によれば、電圧制御部は、直流電源部の出力電圧を調整する。また、電流制御部は、調整された直流電源部の出力電圧に応じて、光源に負荷される電流を制御する。このとき、電流制御部は、光源の電圧−電流特性に合わせるように、直流電源部の出力電圧に基づいて光源に負荷される電流を調整することができる。
【００２５】
光源の電圧−電流特性に沿った電流が光源に負荷される場合には、光源の明るさを徐々に円滑に増大させることができる。そのため、光源の点灯時のフラッシングおよび点滅を抑制することができる。このように、本発明に従った照明用電源回路によれば、光源の自然なフェード・インを実現させることができる。
【００２６】
本発明に従った照明用電源回路は、好ましくは、第１のスイッチ素子と、増幅回路と、第２のスイッチ素子とをさらに備えている。第１のスイッチ素子は、好ましくは、調光信号供給部に接続されている。第１のスイッチ素子は、好ましくは、調光信号供給部から供給される制御信号に基づいてオンとオフとが切り替えられる。
【００２７】
増幅回路は、好ましくは、第１のスイッチ素子に接続された抵抗を含み、第１のスイッチ素子と電圧制御部との間に形成されている。第２のスイッチ素子は、好ましくは、電圧制御部と直流電源部とに接続されている。調光制御信号供給部は、好ましくは、第１のスイッチ素子のオンとオフとを切り替える制御信号を出力する。電圧制御部は、好ましくは、第１のスイッチング素子のオンとオフとに基づいて変化する増幅回路の電圧に応じて、第２のスイッチ素子のオンとオフとを切り替えることにより、直流電源部から出力される電圧を調整する。
【００２８】
この構成によれば、第１のスイッチ素子によって増幅回路の電圧を所要の電圧に容易に調整することができる。また、所要の電圧に調整された電圧に応じて第２のスイッチ素子のオンとオフとが切り替えられることにより、直流電源部から出力される電圧を容易に調整することができる。したがって、この構成によれば、光源の電圧−電流特性に沿った電流を、光源に容易に負荷することができる。
【００２９】
本発明に従った照明装置は、光源を有する発光部と、上記の照明用電源回路とを備えていることが好ましい。
【００３０】
本発明に従った照明用電源回路を備えた照明装置において、照明用電源回路は、光源の自然なフェード・インを実現することができる。
【発明の効果】
【００３１】
以上のように、本発明によれば、光源の自然なフェード・インを実現することが可能な照明用電源回路およびそれを備えた照明装置を提供することができる。
【図面の簡単な説明】
【００３２】
【図１】本発明の第１実施形態に係る照明用電源回路およびそれを備えた照明装置を示す回路図である。
【図２】本発明に係る照明用電源回路の光源を点灯させる場合の動作を説明するための図であって、（ａ）は調光制御信号供給部から電圧制御部に供給される信号としての電圧のオンデューティ比の変化を示す図であり、（ｂ）は調光制御信号供給部から電流制御部に供給される信号としての電流の値の変化を示す図であり、（ｃ）は直流電源部の出力電圧の変化を示す図であり、（ｄ）は光源に負荷される電流の変化を示す図であり、（ｅ）は光源の明るさの変化を示す図である。
【図３】本発明の第２実施形態に係る照明用電源回路およびそれを備えた照明装置を示す回路図である。
【発明を実施するための形態】
【００３３】
以下、本発明の実施の形態を図面に基づいて説明する。
【００３４】
（第１実施形態）
図１に、本発明に従った照明用電源回路（以下、電源回路という）１００と、光源としての発光ダイオード（以下、ＬＥＤという）２ｄを有する発光部２とを備えた照明装置１を示す。照明装置１は、例えば、図示しない室内に設置される照明装置である。ただし、照明装置１は、単に室内に配置されて室内において使用される照明装置であってもよく、屋外において使用される照明装置であってもよい。
【００３５】
電源回路１００は、ＬＥＤ２ｄに電力を供給するための照明用電源回路である。電源回路１００は、交流電源電圧を受電する電源接続端子１１および電源接続端子１２と、制御端子１３と、外部接続端子１４および外部接続端子１５と、ＬＥＤ２ｄと、調光制御信号供給部２１と、直流電源部２３と、制御回路２４とを備えている。
【００３６】
直流電源部２３は、ＬＥＤ２ｄに供給される電力を出力する。調光制御信号供給部２１は、ＬＥＤ２ｄの点灯の開始を指示するための指示を受け付ける。また、調光制御信号供給部２１は、後述するように、受け付けた指示に応じて、ＬＥＤ２ｄに負荷される電流を変化させるためのパルス信号ＳＶ１および直流電圧による直流信号ＳＩ１を供給する。
【００３７】
制御回路２４は、電圧制御部と電流制御部とを兼ね備えた制御回路の一例である。制御回路２４は、オペアンプ３１から出力される信号とオペアンプ３２から出力される信号とを受け、電界効果型のトランジスタ４１のスイッチングを制御し、ＬＥＤ２ｄに負荷される電流または電圧を調整する。なお、トランジスタ４１は、後述するように、第２のスイッチ素子の一例である。
【００３８】
直流電源部２３は、全波整流回路ＤＢと、トランスＴと、キャパシタＣ１と、ダイオードＤ１とを有している。全波整流回路ＤＢは、交流電源電圧を全波整流する。直流電源部２３において、トランスＴの一次巻線ｎ１と全波整流回路ＤＢとの間には、スイッチ素子としての電界効果型のトランジスタ４１を介して、制御回路２４が接続されている。トランスＴの二次巻線ｎ２の一端は、ダイオードＤ１とキャパシタＣ１とを介して二次巻線ｎ２の他端に接続されている。直流電源部２３において、キャパシタＣ１の両端に生じる電圧は、直流電源部２３の出力電圧Ｖｏｕｔ（図２（ｃ）参照）である。
【００３９】
電源回路１００から出力される電力は、外部接続端子１４，１５から発光部２に供給される。発光部２と、キャパシタＣ１と、抵抗５２および抵抗５３とは、並列回路を形成している。発光部２においては、複数のＬＥＤ２ｄが直列に接続されている。なお、発光部２において、複数のＬＥＤ２ｄは、並列に接続されていてもよい。ＬＥＤ２ｄの数は、限定されず、一であってもよく、三以上であってもよい。また、発光部２には、ＬＥＤ２ｄとは別の光源が含まれていてもよい。
【００４０】
外部接続端子１４には、キャパシタＣ１の一端と、ダイオードＤ１のカソードとが接続されている。一方、外部接続端子１５には、抵抗５７を介してキャパシタＣ１の他端が接続されている。キャパシタＣ１の他端と抵抗５７との間には、トランジスタＴｒ１のエミッタが接続されている。トランジスタＴｒ１のベースは、調光制御信号供給部２１に接続されている。また、調光制御信号供給部２１には、抵抗５５を介してＬＥＤ２ｄのカソードが接続され、且つ、抵抗５５および抵抗５７を介してキャパシタＣ１の他端が接続されている。トランジスタＴｒ１のコレクタは、抵抗５１と抵抗５４とを介して制御回路２４に接続されている。抵抗５４と制御回路２４との間の配線は、オペアンプ３１の出力端子に接続されている。トランジスタＴｒ１は、第１のスイッチ素子の一例である。
【００４１】
オペアンプ３１の反転増幅端子には、抵抗５１を介してトランジスタＴｒ１のコレクタが接続されている。オペアンプ３１の非反転増幅端子には、直流電圧源Ｅ１の正極が接続されている。直流電圧源Ｅ１の負極は、トランジスタＴｒ１のエミッタに接続されている。また、トランジスタＴｒ１のエミッタには、抵抗５８を介して制御回路２４が接続されている。抵抗５８と制御回路２４との間の配線は、オペアンプ３２の出力端子に接続されている。
【００４２】
オペアンプ３２の反転増幅端子と、外部接続端子１５との間には、抵抗５６が配置されている。オペアンプ３２の非反転増幅端子には、直流電圧源Ｅ２の正極が接続されている。直流電圧源Ｅ２の負極は、トランジスタＴｒ１のエミッタに接続されている。
【００４３】
照明装置１は、操作部３を備えている。操作部３は、例えば照明装置１が設置される室内に取り付けられている。あるいは、操作部３は、リモートコントローラである。照明装置１の使用者に操作部３が操作されることによって、操作部３から信号が出力される。操作部３から出力された信号は、制御端子１３によって受け付けられ、調光制御信号供給部２１に供給される。
【００４４】
さらに、調光制御信号供給部２１から供給される信号は、直流電源部２３から出力される電圧を変調させるためのパルス信号ＳＶ１と、ＬＥＤ２ｄに負荷される電流を調整するための直流信号ＳＩ１とを含む。パルス信号ＳＶ１は、トランジスタＴｒ１のオンとオフとを制御し、オペアンプ３１の非反転増幅端子の電圧を変化させ、この電圧が参照電源電圧Ｅ１に等しくなるように制御回路２４を介してトランジスタ４１をスイッチングすることにより、出力の電圧を制御する。一方、直流信号ＳＩ１は直流電圧信号であり、抵抗５５および抵抗５６を介してオペアンプ３２の非反転増幅端子に入力される。この電圧が参照電源電圧Ｅ２に等しくなるように制御回路２４によってトランジスタ４１がスイッチングされ、出力の電流が調整される。
【００４５】
調光制御信号供給部２１と制御回路２４とは、それぞれ、例えばコンパレータまたは論理回路等が用いられた制御回路である。調光制御信号供給部２１は、ＬＥＤ２ｄを点灯させるように操作部３が操作された場合に、トランジスタＴｒ１にパルス信号ＳＶ１を出力する。このパルス信号ＳＶ１に基づいて、直流電源部２３から出力される電圧が制御回路２４よって調整される。
【００４６】
調光制御信号供給部２１は、出力電圧を次第に増大させるようなパルス信号ＳＶ１を供給する。パルス信号ＳＶ１は、図２（ａ）に示すようにオンディーティ比を次第に増大することにより、直流電源部２３から出力される電圧を次第に増大させることができる。
【００４７】
次第に増大するように調整された直流電源部２３の出力電圧に基づいて、調整された出力電圧に合わせてＬＥＤ２ｄの電圧−電流特性に沿った電流が発光部２に負荷されるように、調光制御信号供給部２１が負荷電流を調整する。調光制御信号供給部２１は、図２（ｂ）に示すように電流値が次第に減少される直流信号ＳＩ１を供給し、直流電源部２３から流出する電流を調整する。
【００４８】
これらのパルス信号ＳＶ１と直流信号ＳＩ１とに応じた制御回路２４の制御により、図２（ｃ）と図２（ｄ）とにそれぞれ示すように、電源回路１００においてＬＥＤ２ｄの電圧−電流特性に沿った出力電圧と負荷電流とが得られる。電圧−電流特性に沿った負荷電流がＬＥＤ２ｄに流れることにより、図２（ｅ）に示すように、点灯の指示が開始されてから、ＬＥＤ２ｄの明るさは、徐々に円滑に増していく。このように、電源回路２００は、ＬＥＤ２ｄの電圧−電流特性に沿った電流をＬＥＤ２ｄに負荷することにより、ＬＥＤ２ｄの点灯時のフラッシングおよび点滅を抑制することができる。
【００４９】
以上のように、第１実施形態に係る電源回路１００は、ＬＥＤ２ｄを有する発光部２に電力を供給するための照明用電源回路である。電源回路１００は、直流電源部２３と、調光制御信号供給部２１と、制御回路２４とを備えている。直流電源部２３は、ＬＥＤ２ｄに供給される電力を出力する。調光制御信号供給部２１は、ＬＥＤ２ｄの点灯の開始を指示するための指示を受け付け、且つ、受け付けた指示に応じて、ＬＥＤ２ｄに負荷される電流を変化させるためのパルス信号ＳＶ１および直流信号ＳＩ１を供給する。電圧制御部としての制御回路２４は、調光制御信号供給部２１からパルス信号ＳＶ１が供給される場合に、直流電源部２３から出力される電圧を調整する。電流制御部としての制御回路２４は、調整された直流電源部２３の出力電圧に応じて、ＬＥＤ２ｄに負荷される電流を調整する。
【００５０】
電源回路１００によれば、制御回路２４は、直流電源部２３の出力電圧を調整する。また、調光制御信号供給部２１は、調整された直流電源部２３の出力電圧に応じて、ＬＥＤ２ｄに負荷される電流を制御する。このとき、調光制御信号供給部２１は、ＬＥＤ２ｄの電圧−電流特性に合わせるように、直流電源部２３の出力電圧に基づいてＬＥＤ２ｄに負荷される電流を調整する。
【００５１】
ＬＥＤ２ｄの電圧−電流特性に沿った電流がＬＥＤ２ｄに負荷される場合には、ＬＥＤ２ｄの明るさを徐々に円滑に増大させることができる。そのため、ＬＥＤ２ｄの点灯時のフラッシングおよび点滅を抑制することができる。このように、電源回路１００によれば、ＬＥＤ２ｄの自然なフェード・インを実現させることができる。
【００５２】
電源回路１００は、トランジスタＴｒ１と、オペアンプ３１を含む増幅回路と、トランジスタ４１とを備えている。トランジスタＴｒ１は、調光信号供給部２１に接続されている。トランジスタＴｒ１は、調光信号供給部２１から供給される制御信号に基づいてオンとオフとが切り替えられる。
【００５３】
増幅回路は、トランジスタＴｒ１に接続された抵抗５１を少なくとも含み、トランジスタＴｒ１と制御回路２４との間に形成されている。トランジスタ４１は、制御回路２４と直流電源部２３とに接続されている。調光制御信号供給部２１は、トランジスタＴｒ１のオンとオフとを切り替えるパルス信号ＳＶ１を出力する。制御回路２４は、トランジスタＴｒ１のオンとオフとに基づいて変化する増幅回路の電圧に応じて、トランジスタ４１のオンとオフとを切り替えることにより、直流電源部２３から出力される電圧を調整する。
【００５４】
この構成によれば、トランジスタＴｒ１によって増幅回路の電圧を参照電源電圧Ｅ１に容易に調整することができる。また、所要の参照電源電圧Ｅ１に調整された電圧に応じてトランジスタ４１のオンとオフとが切り替えられることにより、直流電源部２３から出力される電圧を容易に調整することができる。したがって、この構成によれば、ＬＥＤ２ｄの電圧−電流特性に沿った電流を、ＬＥＤ２ｄに容易に負荷することができる。
【００５５】
照明装置１は、ＬＥＤ２ｄを有する発光部２と、電源回路１００とを備えている。電源回路１００を備えた照明装置１において、電源回路１００は、ＬＥＤ２ｄの自然なフェード・インを実現することができる。
【００５６】
（第２実施形態）
以下では、本発明の第２実施形態に係る電源回路２００、および、光源としてのＬＥＤ２ｄを有する発光部２と、電源回路２００とを備えた照明装置１について、図３を用いて説明する。なお、以下において、第１実施形態に係る電源回路１００の構成と同様の構成には同符号を付し、その説明を省略する。
【００５７】
電源回路２００は、電源接続端子１１および電源接続端子１２と、制御端子１３と、外部接続端子１４および外部接続端子１５と、調光制御信号供給部２１と、直流電源部２３と、電圧制御回路２６と、電流制御回路２７とを備えている。
【００５８】
調光制御信号供給部２１は、ＬＥＤ２ｄの点灯の開始を指示するための指示を受け付ける。また、調光制御信号供給部２１は、受け付けた指示に応じて、ＬＥＤ２ｄに負荷される電流を変化させるためのパルス信号ＳＶ２および直流信号ＳＩ２を供給する。
【００５９】
電圧制御回路２６は、電圧制御部の一例である。電流制御回路２７は、電流制御部の一例である。電圧制御回路２６は、調光制御信号供給部２１から信号ＳＶ２が供給される場合に、直流電源部２３から出力される電圧を調整する。電流制御回路２７は、調整された直流電源部２３の出力電圧に応じて、ＬＥＤ２ｄに負荷される電流を調整する。
【００６０】
電源回路２００から出力される電力は、外部接続端子１４，１５から発光部２に供給される。発光部２と、キャパシタＣ１と、抵抗６０および抵抗６１と、ダイオードＤ２と、キャパシタＣ２とは、並列回路を形成している。
【００６１】
外部接続端子１４には、キャパシタＣ１の一端と、ダイオードＤ１のカソードとが接続されている。一方、外部接続端子１５には、コイル４３と抵抗６４とを介してキャパシタＣ１の他端が接続されている。コイル４３と抵抗６４との間には、スイッチ素子としての電界効果型のトランジスタ４２が接続されている。
【００６２】
キャパシタＣ１の他端と、抵抗６４との間には、トランジスタＴｒ２のエミッタが接続されている。トランジスタＴｒ２のコレクタは、抵抗５９と抵抗６２とを介して電圧制御回路２６に接続されている。抵抗６２と電圧制御回路２６との間の配線は、オペアンプ３３の出力端子に接続されている。トランジスタＴｒ２のベースは、調光制御信号供給部２１に接続されている。トランジスタＴｒ２は、第１のスイッチ素子の一例である。
【００６３】
また、トランジスタＴｒ２のコレクタは、抵抗５９を介して、オペアンプ３３の反転増幅端子に接続されている。オペアンプ３３の非反転増幅端子には、直流電圧源Ｅ３の正極が接続されている。直流電圧源Ｅ３の負極と、直流電圧源Ｅ４の負極とが互いに接続されている。また、直流電圧源Ｅ３の負極と、直流電圧源Ｅ４の負極とは、キャパシタＣ１の他端に接続されている。
【００６４】
直流電圧源Ｅ４の正極は、オペアンプ３４の非反転増幅端子に接続されている。オペアンプ３４の反転増幅端子は、抵抗６５を介して、抵抗６４とトランジスタ４２との間に接続されている。オペアンプ３４の出力端子には、電流制御回路２７が接続されている。また、電流制御回路２７は、トランジスタ４２のゲートに接続されている。
【００６５】
また、オペアンプ３４の出力端子には、抵抗６６と抵抗６３とを介して、調光制御信号供給部２１が接続されている。抵抗６６と抵抗６３との間には、抵抗６５の一端が接続されている。抵抗６５の他端は、抵抗６４とトランジスタ４２との間に接続されている。
【００６６】
調光制御信号供給部２１は、ＬＥＤ２ｄを点灯させるように操作部３が操作された場合に、トランジスタＴｒ２にパルス信号ＳＶ２を出力する。このパルス信号ＳＶ２に基づいて、トランジスタＴｒ２のオンとオフとを制御し、オペアンプ３３の非反転増幅端子の電圧を変化させる。この電圧が参照電源電圧Ｅ３に等しくなるように、電圧制御回路２６によって、トランジスタ４１がスイッチングされ、直流電源部２３から出力される電圧が調整される。
【００６７】
調光制御信号供給部２１は、出力電圧を次第に増大させるようなパルス信号ＳＶ２を供給する。次第に増大するように調整された直流電源部２３の出力電圧に基づいて、調整された出力電圧に合わせてＬＥＤ２ｄの電圧−電流特性に沿った電流が発光部２に負荷されるように、調光制御信号供給部２１が負荷電流を調整する。調光制御信号供給部２１は、図２（ｂ）に示すように電流値が次第に減少される直流信号ＳＩ２を供給し、直流信号ＳＩ２に基づいて電流制御を行う電流制御回路２７の動作によって、直流電源部２３から流出する電流を調整する。
【００６８】
信号ＳＶ２に応じた電圧制御回路２６の制御と、信号ＳＩ２に応じた電流制御回路２７の制御とにより、図２（ｃ）と図２（ｄ）とにそれぞれ示すように、電源回路２００においてＬＥＤ２ｄの電圧−電流特性に沿った出力電圧と負荷電流とが得られる。電圧−電流特性に沿った負荷電流がＬＥＤ２ｄに流れることにより、図２（ｅ）に示すように、ＬＥＤ２ｄの明るさは、徐々に円滑に増していく。
【００６９】
以上のように、電源回路２００は、第１実施形態に係る電源回路１００と同様に、図２に示す例のように作動する。電源回路２００によれば、電源回路１００と同様の作用効果を得ることができる。
【００７０】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００７１】
１：照明装置、２ｄ：発光ダイオード、２３：直流電源部、２１：調光制御信号供給部、２４：制御回路、２６：電圧制御回路、２７：電流制御回路、１００，２００：電源回路
【図１】
2013149570.tif 000003
【図２】
2013149570.tif 000004
【図３】
2013149570.tif 000005